【事件の表示】
　平成　６年特許願第　３３７２４号「光ディスク装置」拒絶査定不服審判事件〔平成　７年　９月１９日出願公開、特開平　７−２４４９３０〕について、次のとおり審決する。
【結　論】
　本件審判の請求は、成り立たない。
【理　由】
１．手続の経緯
　
　本願は、平成６年３月３日の出願であって、その請求項１乃至３に係る発明は、平成１６年９月１３日付け手続補正書により補正された明細書及び図面の記載からみて、本願特許請求の範囲の請求項１乃至３に記載されたとおりのものであるところ、その請求項１に係る発明（以下、「本願発明」という。）は次のとおりのものである。
「【請求項１】光ディスク上の記録トラックに断続的にディジタルデータが記録される光ディスク装置であって、
　上記記録トラックに断続的に上記ディジタルデータを記録するデータ記録手段と、
　上記ディジタルデータが断続的に記録される際の記録待ち時間を利用して記録が行われた記録部分より上記ディジタルデータを再生してアシンメトリを検出するアシンメトリ検出手段と、
　このアシンメトリ検出手段の検出信号に基づいて上記アシンメトリを補正するアシンメトリ補正手段とを備えることを特徴とする光ディスク装置。」
　
２．引用例
　原査定の拒絶の理由に引用された特開平５−４７１１０号公報（以下、「引用例１」という。）には、図面と共に、以下の記載がある。なお、下線は、当審で付与した。
（１）「【特許請求の範囲】
【請求項１】情報信号を所定時間分毎に圧縮処理を行う圧縮手段と、
　この圧縮された情報信号を一時記憶するための記録用メモリと、
　
この記録用メモリからの前記所定時間分の情報信号を間欠的な記録時間において光ディスクに記録する記録手段と
　
前記記録情報の間欠的な記録期間の間の期間において
　
光スポットを前記期間以前に記録が行われたトラックと同一トラック上を走査するように制御する手段と
　
前記記録期間の間の期間において、前記光ディスクから前記所定時間分の情報信号の再生信号を取り出し
　この再生用メモリから前記再生信号を読み出し、伸長処理を行い、前記情報信号を再生する手段とを備える光ディスク装置。」
　
（２）「【０００４】このようなリアルタイムで記録を行う場合において、例えばオーディオ用カセットデッキのように、
記録中に、その記録状態をチェックする目的で行う記録モニタ再生を行う場合、再生のための別の光学系が必要になり、光学系を２系統用意しなければならなかった
　
（３）「【００４３】なお、以上の例では単にモニタ再生する場合について説明したが、
記録期間ＲＥＣのデータは、モニタ再生が終了するまで一時蓄えておき、モニタ再生により、データデコード回路２３において、再生データにエラー訂正できないエラーが発生したと検出されたとき、その一時蓄えた記録データにより瞬時に記録のやり直しをするようにする
　
（４）「【００４７】
【発明の効果】以上説明したように、この発明によれば、
データ圧縮して間欠的な期間に情報を記録する光ディスク装置
　
　上記摘示事項及び図面の記載を参酌すると、引用例１には、次の発明が記載されているものと認める。
　
「データ圧縮して間欠的な期間に情報を記録する光ディスク装置であって、　所定時間分の情報信号を間欠的な記録時間において光ディスクに記録する記録手段と、
　前記記録期間の間の期間において、前記光ディスクから前記情報信号の再生信号を取り出し、再生データにエラー訂正できないエラーが発生したと検出されたとき、瞬時に記録のやり直しをする光ディスク装置。」
　
　同じく原査定の拒絶の理由に引用された特開平３−２５０４２７号公報（以下、「引用例２」という。）には、図面と共に以下の記載がある。なお、下線は、当審で付与した。
（５）「［発明が解決しようとする課題及び目的］
　しかし前述の従来技術では、ライトパワーをある設定値に制御することは可能であるが、そのライトパワーが記録を行なった時点での最適パワーであるか否かは検出ができないため、温度変化や経時変化によるディスクの記録感度の変動に対応した制御はできない。
第３図にディスクの温度が変化したときに、ライトパワーを一定に保った状態で記録をしたときの、再生パルス幅の変化の関係を示す。ディスク温度がＴ１からＴ２に上昇すると、記録感度が上がりピットが大きくなるので、再生パルス幅はＬ１からＬ２に広くなる。この様な従来技術では、ライトパワーが最適値からずれてしまい、再生信号の信号品質が劣化してしまうという課題を有する
　そこで本発明は上記の従来技術の持つ課題を解決するもので、その目的とするところは、
温度変化や経時変化によるディスクの記録感度の変動の影響を受けずに、常に最適な状態で情報を記録できる光学式記録再生装置を提供するところにある
　
（６）「［作用］
　本発明の上記の構成によれば、記録状態検出手段により、
記録したピットの再生信号の状態を測定して、ライトパワーが過大であると判断された時には、光出力制御手段からの出力により、光源駆動手段はライトパワーを下げ、逆にライトパワーが過小と判断された時には、光出力制御手段の出力で、光源駆動手段はライトパワーを上げることで、記録されたピットの状態が最良であるように光源の出力を制御するため、常に最適なライトパワーで情報を記録することができる
　
（７）「第８図に本発明の第３項記載のデューティー検出手段の一実施例の回路図を示す。端子１４８には信号再生手段１０２の出力を２値化したディジタル信号１４９が、端子１５０にはリセット信号が入力される。ここで、リセット信号が´Ｈ´の時にはトランジスタ１５１がオンになり、コンデンサ１５２に蓄えられていた電荷が放電され、リセット状態となる。リセット信号は再生信号の状態を検出する前に決められた時間だけ´Ｈ´になる。また、抵抗１５３、１５４、１５５とトランジスタ１５６で定電流源を構成している。いま、この定電流値をＩとする。ディジタル信号１４９が´Ｈ´のとき、トランジスタ１５７はオンになり、トランジスタ１５８のベース電圧は＋Ｖを抵抗１５９、１６０で分圧した値となる。この時電流はトランジスタ１５８を通り、コンデンサ１５２に充電される。オペアンプ１６１はバッファを構成していて、出力１６２にはコンデンサ１５２の両端の電圧と同じ大きさの電圧が現われる。ディジタル信号１４９の´Ｈ´となっている時間をＴ、１６２の電圧をＶＯとすると、ＶＯは
　ＶＯ＝Ｉ＊Ｔ
で与えられる。
　一方ディジタル信号１４９が´Ｌ´の時には、トランジスタ１５７はオフとなり、トランジスタ１５８のベースは＋Ｖに固定され、オフとなるので、電流Ｉはコンデンサ１５３には流れ込まず、ＶＯは´Ｌ´になる前の値に保持される。１６２をＡ／Ｄ変換器１６３でディジタル信号１６４に変換する。
　
光出力制御手段は、ディジタル信号１６４に基づき、デューティー比が低いときにはライトパワーを増加させ、逆に高いときにはライトパワーを減少させるように制御をする
　
（８）「ピット位置検出方式ではピットの長さは単一であるので、ＶＦＯ３領域だけでなく
ユーザーデータ領域のどこでもピットの時間幅の測定が可能である
さらに、データの中も“１００１”から“１０００００００１”まで“０”が２個から７個続くパターンの離散的な値をとることが予め判っているため、それらのパターンを分類して認識し、ある特定の長さのピットに注目して、ピット幅の測定を行うことができる
　
３．対比
　そこで、本願発明と引用例１に記載された発明とを対比する。
（１）両発明とも光ディスク上に断続的（間欠的）にデータを記録する光ディスク装置で共通するものである。
（２）引用例１に記載された発明における「間欠的」、「情報信号（データ）」及び「間欠的な記録期間の間の期間」は、それぞれ、本願発明における「断続的」、「ディジタルデータ」及び「断続的に記録される際の記録待ち時間」に相当する。 
（３）引用例１に記載された発明は、「間欠的な記録期間の間の期間」において、「光ディスクから所定時間分の情報信号の再生信号を取り出す」ものであるから、本願発明における「ディジタルデータに断続的に記録される際の記録待ち時間を利用して記録が行われた記録部分より上記ディジタルデータを再生し」に相当する構成を有しているといえる。
　　
　そうすると、本願発明と引用例１に記載された発明とは、次の点で一致する。
［一致点］
「光ディスク上の記録トラックに断続的にディジタルデータが記録される光ディスク装置であって、
　上記記録トラックに断続的に上記ディジタルデータを記録するデータ記録手段と、
　上記ディジタルデータが断続的に記録される際の記録待ち時間を利用して記録が行われた記録部分より上記ディジタルデータを再生する手段とを備えることを特徴とする光ディスク装置。」
　
そして、次の点で相違する。
［相違点］
　ディジタルデータの再生に関連して、本願発明は、「記録部分よりディジタルデータを再生してアシンメトリを検出するアシンメトリ検出手段」及び「このアシンメトリ検出手段の検出信号に基づいて上記アシンメトリを補正するアシンメトリ補正手段」を備えるのに対し、引用例１に記載された発明は、アシンメトリの検出、補正手段についての特段の記載がない点。
　
４．判断
　そこで、上記相違点について検討する。
　引用例２には、光学的記録再生装置において、信号再生手段の出力を２値化したディジタル信号のデューティーを検出し、デューティー比が低いときはライトパワーを増加させ、逆に高いときにはライトパワーを減少させるように制御することが記載されている。
　ところで、「デューティー」に偏差が生じる現象が「アシンメトリ」であることは明らかである（例えば、特開平３−２８９８１９号公報中、〔発明が解決しようとする課題〕の記載、及び、特開平４−２８５７７１号公報中、【従来の技術】の記載等参照）から、「デューティー比」を検出することは、「アシンメトリ」を検出することに他ならず、結局、引用例２には、信号再生手段の出力を２値化したディジタル信号のアシンメトリを検出し、該検出したアシンメトリに基づいてアシンメトリを補正する技術が記載されているといえる。　
　一方、光ディスク装置において、アシンメトリが発生するとエラーレートの悪化等を招くことは従来から知られており、ディスク上に最適な状態で情報を記録しようとすることは、当業者において、十分に認識されている技術課題といえる。
　そうすると、引用例１には、間欠的な記録期間の間の期間に取り出された再生データに対し所望の検出（実施例としては、エラー検出）のための処理を行うことも記載されている（上記摘示事項（３）参照）から、引用例１に記載された発明において、間欠的な記録期間の間の期間を利用して取り出された再生データに対し、引用例２に記載されている、再生ディジタル信号のアシンメトリを検出し、該検出したアシンメトリに基づいてアシンメトリを補正する技術を適用して、本願発明のように、「記録部分よりディジタルデータを再生してアシンメトリを検出する検出手段」と、「このアシンメトリ検出手段の検出信号に基づいて上記アシンメトリを補正するアシンメトリ補正手段」を備える構成とすることは、当業者が容易に想到できたものである。
　　
５．むすび
　以上のとおり、本願の請求項１に係る発明は、引用例１に記載された発明、引用例２に記載の事項、及び周知技術に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。